【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
屋根の上で通常暴露されるタブ部分と屋根の上で通常覆い隠れるヘッドラップ部分とを備えたアスファルトコーテッドシートを含み、ヘッドラップ部分は、タブ部分に隣接した、ルーフィングシングルの第１の端と第２の端との間で長手方向に延びる下部領域と、下部領域に隣接した上部領域とを含み、アスファルトコーテッドシートの少なくとも一部分にはグラニュールが接着され、
更に、ヘッドラップ部分の下部領域に接着された補強部材を含む、
ルーフィングシングル。
【請求項２】
補強部材には、実質的にグラニュールが接着されていない請求項１に記載のルーフィングシングル。
【請求項３】
補強部材は、ルーフィングシングルの第１の端と第２の端との間で長手方向に延びる請求項２に記載のルーフィングシングル。
【請求項４】
補強部材は、ルーフィングシングルが屋根に取付けられるときにルーフィングシングルの下方に向いた面に接着される請求項３に記載のルーフィングシングル。
【請求項５】
補強部材は、釘打ち領域を構成する請求項１に記載のルーフィングシングル。
【請求項６】
釘打ち領域は、釘打ち領域を構成する補強部材を有していない他は等しいルーフィングシングルよりも約１０％ないし約１００％大きい範囲内の釘貫通値を有する請求項５に記載のルーフィングシングル。
【請求項７】
釘打ち領域は、釘打ち領域を構成する補強部材を有していない他は等しいルーフィングシングルよりも約５０％大きい釘貫通値を有する請求項５に記載のルーフィングシングル。
【請求項８】
補強部材を有するシングルは、補強部材を有していない他は等しいルーフィングシングルよりも軽量である請求項１に記載のルーフィングシングル。
【請求項９】
ルーフィングシングルは、積層ルーフィングシングルであり、
積層ルーフィングシングルは、下張り部材と、下張り部材に取付けられた上張り部材とを含み、
上張り部材は、屋根の上で通常暴露されるタブ部分と、屋根の上で通常覆い隠れるヘッドラップ部分とを含み、ヘッドラップ部分は、タブ部分に隣接した下部領域と、下部領域に隣接した上部領域とを含み、
上張り部材の少なくとも一部分には、グラニュールが接着され、上張り部材は、第１の高さを有し、下張り部材は、第２の高さを有し、第２の高さは、第１の高さの半分より低いか、或いは第１の高さの半分に等しいかのいずれかであり、上張り部材及び下張り部材は、それによって積層シングルの二層部分及び積層シングルの単一層部分を構成し、補強部材の少なくとも一部分は、積層シングルの単一層部分に接着される、請求項１に記載のルーフィングシングル。
【請求項１０】
積層シングルを作る方法であって、
シングルマットにルーフィングアスファルトを塗布して、アスファルトコーテッドシートを作る段階と、
補強部材をアスファルトコーテッドシートの一部分に接着する段階と、
アスファルトコーテッドシートをグラニュールで被覆し、選択的に補強部材をグラニュールで被覆して、グラニュール被覆シートを作る段階と、
グラニュール被覆シートを上張りシートと下張りシートとに分割する段階と、を含み、上張り部材は、屋根の上で通常暴露されるタブ部分と、屋根の上で通常覆い隠れるヘッドラップ部分とを含み、ヘッドラップ部分は、タブ部分に隣接した下部領域と、下部領域に隣接した上部領域とを含み、補強部材は、ヘッドラップ部分の下部領域に接着され、
更に、上張りシートと下張りシートとを積層して積層シングルを構成する段階と、
を含む、上記方法。
【請求項１１】
ヘッドラップ部分には、実質的にグラニュールが接着されていない、請求項１０に記載の方法。
【請求項１２】
ヘッドラップ部分の下部領域には、実質的にグラニュールが接着されていない、請求項１０に記載の方法。
【請求項１３】
補強部材は、積層シングルの第１の端と第２の端との間で長手方向に延びる、請求項１０に記載の方法。
【請求項１４】
補強部材を接着させる段階は、積層シングルが屋根に取付けられるときに補強部材を積層シングルの下方に向いた面に接着させることを含む、請求項１０に記載の方法。
【請求項１５】
補強部材は、釘打ち領域を構成する、請求項１０に記載の方法。
【請求項１６】
上張りシートは、第１の高さを有し、下張りシートは、第２の高さを有し、第２の高さは、第１の高さより低いか、或いは第１の高さに等しいかの一つであり、上張りシート及び下張りシートは、それによって積層シングルの二層部分と積層シングルの単一層部分とを構成し、補強部材の少なくとも一部分は、積層シングルの単一層部分に接着される、請求項１０に記載の方法。
【請求項１７】
積層シングルを作る方法であって、
シングルマットにルーフィングアスファルトを塗布して、アスファルトコーテッドシートを作る段階と、
補強部材をアスファルトコーテッドシートの一部分に接着させる段階と、
アスファルトコーテッドシートをグラニュールで被覆して、グラニュール被覆シートを作る段階と、
グラニュール被覆シートを上張りシートと下張りシートとに分割する段階と、を含み、上張りシートは、屋根の上で通常暴露されるタブ部分と、屋根の上で通常覆い隠れるヘッドラップ部分とを含み、ヘッドラップ部分は、タブ部分に隣接した下部領域と、下部領域に隣接した上部領域とを含み、補強部材は、ヘッドラップ部分の下部領域に接着され、
更に、上張りシートと下張りシートとを積層して、積層シングルを作る段階と、
を含む方法。
【請求項１８】
補強部材をアスファルト被覆シートの一部分に接着させる段階は、アスファルトコーテッドシートをグラニュールで被覆した後に行なわれる、請求項１７に記載の方法。
【請求項１９】
一つ置きのシングルが、シングルの隣接する一つに対して逆にされるか又は１８０°廻わされるかの少なくとも一つであるように積み重ねられた積層ルーフィングシングルの束であって、シングルが下張りで積層された上張りを含み、上張りは、屋根の上で通常暴露される切抜きを有するタブ部分と、屋根の上で通常覆い隠れるヘッドラップ部分とを含み、ヘッドラップ部分は、タブ部分に隣接した下部領域と下部領域に隣接した上部領域とを含み、下部領域は、実質的にグラニュールが接着されておらず、束は、積み重ねられたシングルの下部領域を実質的に取り囲む中央領域を画成し、積層ルーフィングシングルは、二重層にされ、積み重ねられたシングルの下部領域にグラニュールを欠くことにより、束の中央領域は中央領域の外側の束の残部の高さと実質的に等しい高さを有する、上記積層ルーフィングシングルの束。
【請求項２０】
ルーフィングシングルであって、
ヘッドラップ部分及びタブ部分を含む上張りシートと、
上張りシートに固定された下張りシートとを含み、
下張りシートの領域が、上張りシートのヘッドラップ部分と重なりあうようになっており、
さらに、ヘッドラップ部分に固定された補強部材を含み、
ヘッドラップ部分は第１釘貫通値を定義し、補強部材とヘッドラップ部分は、第１釘貫通値より少なくとも１３．３％大きい第２釘貫通値を定義する、
ルーフィングシングル。
【請求項２１】
補強部材は、少なくとも厚さ０．５ｍｍのポリエステルフィルムで形成される請求項２０に記載のルーフィングシングル。
【請求項２２】
釘貫通値は、２３℃±２℃の温度で測定したときに、平均値９０Ｎである請求項２０に記載のルーフィングシングル。
【請求項２３】
上張りシートと下張りシートの両者は、均一の厚さを有する請求項２０に記載のルーフィングシングル。
【請求項２４】
上張りシートのヘッドラップ部分に固定され、且つ補強部材に固定されていない複数のグラニュールをさらに含む請求項２０に記載のルーフィングシングル。